(57)【要約】【課題】ディスクに識別エラー情報を組み込む、従来とは別の方法を提供することを課題とする。【解決手段】処理手段（３４）により制御された製造プロセスにより生産されたマスタから直接的または間接的に物理的に製造されたデータを担うディスク（６）に識別エラー情報を組み込む方法である。該方法は、識別エラーデータを前記処理手段に供給するステップと、前記マスタの形成時に前記マスタに記すデータに前記識別エラーデータを組み込み前記マスタから生産されるディスクに識別エラー情報を備えるステップと、を有する。前記識別エラーデータは、データを担うディスクの前記物理的製造プロセス中に起こるエラーを表し、通常の読み出しプロセスにより読み出して識別できる。【選択図】図３
2007035273.tif 000002
【特許請求の範囲】
【請求項１】
マスタから直接的または間接的に物理的に製造されたデータを担うディスク（６）に識別エラー情報を組み込む方法であって、
前記マスタは処理手段（３４）により制御された製造プロセスにより生産され、
前記方法は、
識別エラーデータを前記処理手段に供給するステップと、
前記マスタの形成時に前記マスタに記すデータに前記識別エラーデータを組み込み前記マスタから生産されるディスクに識別エラー情報を備えるステップと、を有し、
前記識別エラーデータは、データを担うディスクの前記物理的製造プロセス中に起こるエラーを表し、通常の読み出しプロセスにより読み出して識別できることを特徴とする方法。
【請求項２】
請求項１に記載の方法であって、
データを担う複数のディスクのそれぞれからエラー情報を取得するステップであって、前記複数のディスクのそれぞれは同一の既知の製造源で生産され、各ディスク中のエラーは前記物理的製造プロセスから本来的に生じるところのステップと、
前記複数のディスクのそれぞれに共通するエラー情報を抽出するステップと、
前記既知の供給源で生産されたデータを担うディスクを特徴付ける特徴的エラー情報として前記抽出されたエラー情報を格納するステップと、をさらに有し、
前記方法は、前記特徴的エラー情報を前記識別エラーデータとして利用するステップをさらに有することを特徴とする方法。
【請求項３】
識別エラー情報が製造プロセスの間に組み込まれたデータを担うディスクの出所を決定する方法であって、
前記データを担うディスクからデータを読み出し前記ディスク上のデータ中のエラーに関する情報を抽出するステップと、
前記抽出されたエラー情報を前記識別エラー情報と比較して前記データを担うディスクが本物かどうか決定するステップと、を有し、
前記識別エラー情報はデータを担うディスクの前記物理的製造プロセスの間に発生したエラーを表し、データは前記エラーを訂正するように構成された通常読み出しプロセスにより前記ディスクから通常読み出され、
前記データは前記ディスクから未訂正の形式で読み出され、前記エラー情報は前記データの前記未訂正の形式から抽出されることを特徴とする方法。
【請求項４】
請求項３に記載の方法であって、
前記識別エラー情報は前記データを担うディスクからリアルタイムで読み出されることを特徴とする方法。
【請求項５】
請求項３または４に記載の方法であって、
前記通常の読み出しプロセスは、通常、前記ディスクからデータを読み出しエラーを訂正するように構成され、様々な読み出し、処理、訂正、及び符号化段階とレベルを含み、
前記方法は、前記通常の読み出しプロセスの間に作られたデータのいかなる段階またはレベルからもデータを取ることにより、前記データを担うディスクから未訂正の情報を読み出すステップをさらに有することを特徴とする方法。
【請求項６】
請求項３または４に記載の方法であって、
前記通常の読み出しプロセスは、通常、前記ディスクからデータを読み出してエラーを訂正するように構成され、前記データを担うディスクから未訂正の情報を抽出するように修正されることを特徴とする方法。
【請求項７】
請求項５または６に記載の方法であって、
前記通常の読み出しプロセスにより前記ディスクから読み出された位置決めデータから、前記データを担うディスク（６）からのエラー情報を抽出するステップをさらに有することを特徴とする方法。
【請求項８】
請求項７に記載の方法であって、
前記ディスクはＣＤであり、前記通常の読み出しプロセスは前記ＣＤからデータのＱ−サブチャンネルブロックを読み出して処理し、
前記方法はエラー情報の抽出を可能とするためにデータのＱ−サブチャンネルブロックを読み出すステップをさらに有することを特徴とする方法。
【請求項９】
請求項８に記載の方法であって、
ＣＤのＱ−サブチャンネルブロックを読み出して、どのＱ−サブチャンネルブロックが壊れて、または失われているかを決定して、壊れた、または失われたブロックのリストを形成するステップと、
前記壊れた、または失われたブロックのリストを壊れた、または失われたブロックの特徴的リストと比較するステップと、をさらに有することを特徴とする方法。
【請求項１０】
コピープロテクト信号を提供するために識別エラー情報が組み込まれたデータを担うディスク（６）であって、前記識別エラー情報が請求項１または２に記載の方法により前記ディスクに組み込まれていることを特徴とするディスク。
【請求項１１】
マスタから直接的または間接的に物理的に製造されるべきデータを担うディスクに識別エラー情報を組み込む装置であって、
マスタ（２０）に書き込みをするレーザ（３２）と、
前記レーザを制御する処理手段（３４）と、
前記マスタに符号化されるべきデータを含む、前記処理手段に結合したメモリと、
符号化すべきデータを受け取り、前記マスタに記すべきデータを符号化する信号符号化回路（３３）と、を有し、
前記装置は、前記レーザによる書き込みの間に前記マスタに記すべき前記符号化データに組み込むための識別エラーデータを備えるデータ記憶媒体（３７）をさらに有し、
前記識別エラー情報データは、データを担うディスクの前記物理的製造プロセスの間に発生するエラーを表し、通常の読み出しプロセスにより読み出して識別できることを特徴とする装置。
【発明の詳細な説明】
【技術分野】
【０００１】
本発明は、コンパクトディスク（ＣＤ）及びディジタルバーサタイルディスク（ＤＶＤ）のような、データを担うディスクの出所を決定するための方法及び装置に関する。
【背景技術】
【０００２】
伝統的なＣＤは、読出し専用蓄積媒体である。元来ＣＤは音楽と他のオーディオデータの蓄積に使用された。しかし、ＣＤ−ＲＯＭのようなフォーマットが、コンピュータ及び他のディジタル装置で使用するデータの信頼性ある蓄積を容易にするために開発された。ＣＤ−ＲＯＭフォーマットは非常に普及し、且つコンピュータプログラムと他のファイルの大量データ蓄積媒体となった。
【０００３】
ＣＤは、約７４分の高品質ステレオ音声又は、約６５０メガバイトのデータ又は、その組合せを蓄積できる。エンドユーザへのＣＤの価値は、蓄積されているデータの価値により、典型的には、その物理的なコストよりも非常に高い。これが偽造者を引きつけ、大きな利益を得るために、標準的なコストでオリジナルＣＤの複製を作成し、そして、複製をデータの市場価格で販売する。
【０００４】
オーディオテープやビデオカセットのような配布媒体では、偽造コピーの品質は、コピー処理中のアナログ信号の劣化によりオリジナルよりも低い。しかし、ＣＤのようなディスクの場合には、全ての情報がディジタル的に蓄積されているので、このような劣化は無い。従って、偽造者は、ＣＤの偽造コピーを元の又は真正のＣＤからほとんど区別できない偽造ＣＤのコピーを製造できる。
【０００５】
元の又は真正のＣＤと偽造を区別することが可能であれば、偽造から生じる問題は実質的に減少する。例えば、当局は、偽造コピーを識別する手段を得て、そして、更に容易に捜索状を得て起訴することができるであろう。ＣＤがプログラムを担う場合には、プログラムを真正の元のＣＤからロードされたものであるかをチェックするのに使用され得る。
【０００６】
データを担う元のディスクにシグネチャやキーを記す（impress）ことは知られている。ディスク上のデータがコピーされても、そのシグネチャやキーは一般的にはコピーできず、元のディスクとコピーされたディスクとを区別するために利用することができる。シグネチャ法は欧州特許第EP-A-0899733号と米国特許第US-A-5703858号に記載されている。
【０００７】
国際出願第WO-A-9801852号には、マスタから直接的または間接的に物理的に製造される、データを担うディスクに識別エラー信号を組み込む方法が記載されている。マスタは処理手段により制御された製造プロセスにより生産される。該方法は、前記処理手段に識別エラーデータを供給するステップと、マスタの形成をする時にマスタに記すべきデータに識別エラーデータを組み込み、マスタから生産されるディスクに識別エラーデータを備えるステップと、を有する。
【発明の開示】
【発明が解決しようとする課題】
【０００８】
本発明は、ディスクに識別エラー情報を組み込む別の方法を提供するものである。
【課題を解決するための手段】
【０００９】
本発明の第１の態様によると、上記の方法は、識別エラーデータが、データを担うディスクの物理的製造プロセス中に発生するエラーを表し、通常の読み出しプロセスにより読み出して識別することができることを特徴とする。
【００１０】
識別エラー情報は、特徴的フィンガープリントとして機能し、全ての本物のディスクにそれが生産されるときに記すことができる。
【００１１】
よって、独占しているオーディオ素材やソフトウェアの製造工場はすべて、その素材のユニークな識別エラー情報を提供することができる。この識別エラー情報はマスタに記され、よってそのマスタから作られたコピーにも製造の際に記される。
【００１２】
一実施形態では、該方法は、データを担う複数のディスクのそれぞれからエラー情報を取得するステップであって、前記複数のディスクのそれぞれは同一の既知の製造源で生産され、各ディスク中のエラーは前記物理的製造プロセスから本来的に生じるところのステップと、前記複数のディスクのそれぞれに共通するエラー情報を抽出するステップと、前記既知の供給源で生産されたデータを担うディスクを特徴付ける特徴的エラー情報として前記抽出されたエラー情報を格納するステップと、をさらに有し、前記方法は、前記特徴的エラー情報を前記識別エラーデータとして利用するステップをさらに有する。
【００１３】
また、本発明は、識別エラー情報が製造プロセスの間に組み込まれたデータを担うディスクの出所を決定する方法であって、前記データを担うディスクからデータを読み出し前記ディスク上のデータ中のエラーに関する情報を抽出するステップと、前記抽出されたエラー情報を前記識別エラー情報と比較して前記データを担うディスクが本物かどうか決定するステップと、を有し、前記識別エラー情報はデータを担うディスクの前記物理的製造プロセスの間に発生したエラーを表し、データは前記エラーを訂正するように構成された通常読み出しプロセスにより前記ディスクから通常読み出され、前記データは前記ディスクから未訂正の形式で読み出され、前記エラー情報は前記データの前記未訂正の形式から抽出されることを特徴とする方法にも及ぶ。
【００１４】
ＣＤのようなデータを担うディスクの製造処理は、マスタの製造で開始し、マスタの物理的製造プロセスでは、マスタに、特徴的な物理的特性を与え且つデータにエラーを発生する変化が導入される。マスタは、ディスクの世代を形成するのに使用され、そして、マスタの物理的特徴は、世代に渡される。従って、同じソースから製造されたディスクのグループは、マスタの物理的な特性を一貫して示し、それらの物理的な特徴は”指紋”として又は、ソースの識別のために使用され得る。本発明は、ＣＤ及びＣＤＶＤ（ディジタルバーサタイルディスク）及び他の光ディスクのような全てのデータを担うディスクに関連している。データ中のエラーは、物理的な製造プロセスから生じる。
【００１５】
ディスクから抽出したエラー情報は、ディスクが生産されるソース（sources）に記され、コピープロテクト信号を供給し、ディスクが本物のソースから作られたものであることを示す。よって、ディスクの出所を決定する本発明の方法は、すべての本物のディスクを信頼性高く識別し、よってすべての偽物を識別することができる。
【００１６】
前記識別エラー情報は前記データを担うディスクからリアルタイムで読み出されてもよい。
【００１７】
本発明の方法を用いて、上記のように、ディスクが本物であるか偽物であるか決定することができる。
【００１８】
ＣＤ及びＤＶＤのようなデータを担うディスクが読まれたときに、通常の出力にエラーがないようにエラーを訂正するためにディジタルデータが処理される。
【００１９】
エラー訂正処理は種々の段階で行われる。このように、ディスクがレーザにより読まれたときに、ビットストリームが形成され、そしてそれは、例えば、ブロックに分割され、そのブロックは、バイトそしてフレームに変換され、フレームはエラー訂正を受け、そして、セクタに集められて符号化される。符号化されたデータはサブチャネルに分割される。
【００２０】
本発明の方法では、データを担うディスクから読み出された未訂正情報は生成されるデータのどの段階又はレベルからも得られ得る。本方法は、読み出されたデータが、物理的な製造プロセスから生じたエラーを表すことを要求する。このように、読み出されたデータは、一般的には、重要なエラー訂正が行われる。
【００２１】
代わりに、通常の読出し処理は、データを担うディスクからの未訂正情報を抽出するために変更されうる。
【００２２】
明らかに、各段階又はレベルでデータが読み出され且つエラー情報が抽出されることを可能とするために適切な処理手段が使用される。
【００２３】
ＣＤ又はＤＶＤのリーダでは、例えば、ディスク状のセクタに対してレーザを位置決めする駆動手段があり、そのような駆動手段で使用される位置決めデータにはエラーがある。本発明の方法の好適な実施例では、データを担うディスクから読み出された位置決めデータからのエラー情報を抽出することが提案される。
【００２４】
ディスクがＣＤである場合には、本発明の方法はエラー情報の抽出を可能とするために、Ｑ−サブチャネルブロックのデータを読むことが好ましい。
【００２５】
特にＣＤとそれらのリーダに関連する本発明の方法の実施例では、ＣＤのＱ−サブチャネルブロックを読出すステップと、どのＱ−サブチャネルブロックが壊れているか又は失われているかを決定するステップと、壊れているか又は失われているブロックのリストを、壊れているか又は失われているブロックの特徴的なリストと比較するステップを更に有する。
【００２６】
壊れているか又は失われているブロックの特徴的なリストは、共通のソースからＣＤのグループを読み出すことにより生成され、各ディスクに対して壊れているか又は失われているブロックのリストを決定し、そして、前記グループの全てのＣＤに共通な壊れているか又は失われているブロックの特徴的なリストを形成する。特徴的なリストはディスクに記された識別エラー情報として使用される。
【００２７】
本発明の方法を用いて、本物と偽物のディスクを識別するだけでなく、偽物のディスクのデータへのアクセスを拒絶することもできる。
【００２８】
本発明は、コピープロテクト信号を提供するために識別エラー情報が組み込まれたデータを担うディスクであって、前記識別エラー情報が上記の方法により前記ディスクに組み込まれていることを特徴とするディスクにも及ぶ。
【００２９】
本発明のさらに別の態様では、マスタから直接的または間接的に物理的に製造されるべきデータを担うディスクに識別エラー情報を組み込む装置を提供する。該装置は、マスタに書き込みをするレーザと、前記レーザを制御する処理手段と、前記マスタに符号化されるべきデータを含む、前記処理手段に結合したメモリと、符号化すべきデータを受け取り、前記マスタに記すべきデータを符号化する信号符号化回路と、を有し、前記装置は、前記レーザによる書き込みの間に前記マスタに記すべき前記符号化データに組み込むための識別エラーデータを備えるデータ記憶媒体をさらに有し、前記識別エラー情報データは、データを担うディスクの前記物理的製造プロセスの間に発生するエラーを表し、通常の読み出しプロセスにより読み出して識別できる。
【発明を実施するための最良の形態】
【００３０】
本発明の実施例を、図を参照して例により説明する。
【００３１】
上述で明らかなように、本発明は、物理的な製造プロセスから生じるディスク上のデータ内のエラーが同じソースから由来する全てのディスクに対して一貫性のある、どのようなデータを担うディスクでも使用できる。特に、本発明は、ＣＤとＤＶＤに対して使用され得る。
【００３２】
良く知られているように、ＣＤ又はＤＶＤは、ディスクが主軸上で回転しながらレーザによりカットされるガラスマスタより発する。レーザビーム強度は記録されるデータにより変調される。各マスタは、スタンパーを作るのに使用されるニッケルコピーを作るのに使用される。商用のＣＤとＤＶＤは、これらのスタンパーで製造される。各マスタは、物理的に唯一であり、ガラス基板又はフォトレジストコーティング内の不完全さ、及び、例えば、主軸の回転速度やレーザの移動からの変化から生じるエラーを有する。これらのエラーは、マスタに固有の指紋を生じる。同様に、スタンパーを生成するためのコピーの世代として、そして、ＣＤ／ＤＶＤディスクが直接作られ及びマスタから間接的に作られ、更なる唯一の指紋が各世代のコピーで重ねられる。データを壊し又はデータ内にエラーを起こし得る物理的と特性であるこれらの指紋は、コピーの連続する世代に送られる。もちろん、各世代は、それを製造するのに使用される製造プロセスのために、それ自身のエラーの組み又は、それ自身の指紋を有する。このように、各ＣＤとＤＶＤは重ねられた指紋を有し、その1つはその先祖のそれぞれに属する。
【００３３】
本発明の方法及び装置と共に、共通のソースからのディスクのグループは、例えば、同じスタンパーにより形成された全ては分析され、そして、そのグループの全てのディスクに共通のエラーが識別される。これらの共通のエラーはスタンパーの指紋を表し、これらの検出されたエラーを用いてテストディスクが同じグループに属するか否か決定することができる。しかし、本発明は、本物のディスクにその製造中に記すべき指紋として、このようなエラー情報を使用することに関する。
【００３４】
この発明で、データ内のエラーは、ディスクの指紋を決定するためにアクセスされる。ＣＤのデータフォーマットがＤＶＤのデータフォーマットと異なることは理解されよう。簡単のために、本発明では、ＣＤを特に参照して説明する。しかし、本発明は、ＤＶＤデータフォーマットで、エラーが検出されるレベルは異なるが、そして、変更されたＤＶＤデータがエラーにアクセスするのに要求され得るが、ＤＶＤにも適用可能である。
【００３５】
従って、更に本発明の特定の実施例を説明するために、ＣＤのデータフォーマットを簡単に説明する。
【００３６】
データは、国際規格ＩＳＯ／ＩＥＣ１０１４９に従ってＣＤに記録される。データは、ＣＤの反射材料の長さが変化するピットのシーケンスとしてＣＤ上に存在する。図１に示すように、これらのピットは、反射部分の中央の近くからＣＤ６の反射部分の外側に連続するらせん４上にある。ＣＤリーダは、らせんに沿って走査するのにレーザを使用し、そして、走査するディスクの反射率を測定することによりピットのエッジを検出する。ピットの存在は光の反射を減少する。
【００３７】
レーザは、ディスク６から反射される光のビームを生じ、フォトディテクタでその強度が測定される。フォトディテクタは、らせんに沿ってディスクの反射率が識別されるアナログ信号である。この信号は、増幅器されそして、各エッジが検出されたときにセットされるゼロのビットのストリームを生じるように変換される。これは、ＥＦＭ（８−１４変調）ストリームと呼ばれディスクからの最初のディジタル信号である。
【００３８】
ＥＦＭストリームは、２４ビットの同期パターンにより分離されたブロックへ分割される。同期パターンは３つの“マージン”ビットが続き、そして、各々に３つの”マージン”ビットが続く１４ビットワードが３３個続く。１４ビットワードは、８ビットのバイトへ変換するＥＦＭ復調器（例えば、ルックアップテーブル）を通過する。２４ビットの同期パターンにより分離された各ＥＦＭブロックは、図２に示すように３３バイトの”フレーム”に変換される。各フレームの１バイとは”サブコード”として使用され、そして残りの３２バイトはＣ１とＣ２デコーダへ送られ、エラー訂正が行われる。
【００３９】
エラー訂正されたデータは、２４バイトブロックで復号器から現れる。これらのブロックは順次集められ、９８の時点で、２３５２バイトのセクとなる。これらの２３５２バイトは、オーディオデータを符号化するが、しかし、コンピュータデータはその上に他のエラー訂正の層を有し、ユーザデータとして２０４８バイトが残る。サブコードバイトは、垂直に９８集められたときに、図３に示すようにサブコードブロックとなる。第１の２つのサブコードバイトは、同期バイトであり、残りのバイトは、Ｐ，Ｑ，Ｒ，Ｓ，Ｔ，Ｕ，Ｖ及び、Ｗサブチャネルへ分割される。Ｐ−サブチャネルは９６非同期サブコードバイトの高次ビットよりなる。Ｑ−サブチャネルブロックは、同じバイトの第２の高次ビットからなる。
【００４０】
図４は、Ｑ−サブチャネルブロックの一般的なデータフォーマットを示す。示すように、Ｑ−サブチャネルブロックの最初の４バイトは、“コントロール”フィールド８、第２の４つは”ＡＤＲ”フィールド１０を構成する。７２のＤＡＴＡ−Ｑビット１２が続き、その翻訳はＡＤＲフィールドの値に依存する。そして、１６ビットＣＲＣ１４が３つの前のフィールドに続く。ＣＲＣはエラーを検出するが、しかし訂正はしない。
【００４１】
Ｑ−サブチャネルブロックの数とほぼ同じ数のセクタがＣＤ上にある。Ｑ−サブチャネルブロックは１対１でセクタに対応するがしかし、Ｃ１とＣ２復号器はバーストエラーを扱う目的で数バイトの遅延があるのでこれは完全に正しくはない。
【００４２】
Ｑ−サブチャネルブロックはセクタ内のデータと同じレベルのエラー訂正ではない。これは、ディスク上の非常に少ないサブチャネルブロックが有効なＣＲＣを持たず且つそれゆえにマスタリング中及び一般的な摩耗や傷で発生する自然のエラーにより壊されたことを意味する。
【００４３】
通常は、Ｑ−サブチャネルブロックはＣＤに亘って操作するためにＣＤリーダのドライブにより使用される。“ＡＤＲ”フィールドが“０００１”を含むなら、ＤＡＴＡ−Ｑビットはディスクの先頭からのトラック内のブロックの位置を符号化する。それゆえ、各Ｑ−サブチャネルブロックは、単調に増加する唯一のアドレスを有する。
【００４４】
Ｑ−サブチャネルブロックは、実効的にはバーコード又はＤＩＮ−３１−６２１に定義されるようなＩＳＲＣであるＵＰＣ／ＥＡＮのような他の情報を記録するのに使用できる。これらのＱ−サブチャネルブロックは多くの位置データを有しないので、ドライブを操作するにはあまり有益でない。それらは、規則的に配置されるが、しかし、ＣＤドライブのナビゲーションの要求を妨げないようにするには、Ｑ−サブチャネル内でかなり大きな間隔である。
【００４５】
強力なエラー訂正手順は、セクタデータが常に正しいことを保証するので、セクタデータを読むことによってはＣＤ上のエラーを検出することはできない。しかし、Ｑ−サブチャネルには、エラー訂正は与えられない。更に、Ｑ−サブチャネルは、位置情報を提供するので、従来のＣＤリーダにより読むことができる。これは、ディスクからエラー情報を読むために必要な特別なハードウェアは必要なく、且つ従来の処理手段はエラー情報を抽出するのにデータ読み出しを使用できることを意味する。
【００４６】
本発明の方法で、レーザピックアップはＣＤ上の特定の位置に移動される。Ｑ−サブチャネル読出し命令に応答し、レーザピックアップを最も最近に通過したＱ−サブチャネルブロック読み出される。この処理は、ＣＤ上のＱ−サブチャネルブロックの全てが読み出されるまで、順次繰り返される。
【００４７】
全体のディスクが順次読まれると、どの失われたＱ−サブチャネルブロックも識別され且つリストされる。これらは、壊れたデータを含むＱ−サブチャネルブロックである。これらは、ブロックの最後に記録されているＣＲＣとドライブにより計算されたＣＲＣを比較することにより検出される。ＣＲＣが同じでなければ、Ｑ−サブチャネルブロックは壊れておりそして失われているとリストされる。
【００４８】
上述のように、例えば、同じスタンパーからのディスクの組みが共通のエラーを有するので、失われたブロックのリストは各ディスクに対して唯一である。図５は、Ｑ−サブチャネルブロックが壊れた幾つかのエラーＥを有するＣＤ６の概略を示す。エラーＥの位置は、以下に示すように、エラーリストＬを形成するために、リストされる。
【００４９】
図６は、ＣＤの出所を決定する装置の実施例を示す。この装置は処理手段２２に接続されたＣＤリーダ２１を有する。処理手段２２は、データメモリ２３と通信し、そして、出所決定処理に関する情報を視覚的に示すのに使用されうるディスプレイ２４も有する。
【００５０】
上述のように、テストされるディスク６はＣＤリーダ２１へ挿入され、マイクロプロセッサ２２の制御のもとで、ＣＤが順次読まれる。Ｑ−サブチャネルブロックの各々のＣＲＣがブロックの内容に対してチェックされ、そして、マイクロプロセッサ２２は、有効なＣＲＣを有しないＱ−サブチャネルブロックのリストＬを蓄積又は表示する。壊れた又は失われたブロックのリストは、ＣＤの出所を決定するためにのみ使用される。更に加えて、必要ならば、ＵＰＣ／ＥＡＮ又はＩＳＲＣを有するＱ−サブチャネルブロックが検出されそして、マイクロプロセッサ２２によりメモリに書込まれ又は表示される。
【００５１】
マイクロプロセッサ２２は、必要ならば、ＣＤ上のデータのチェックサムを計算し、そして、計算された値を蓄積し又は表示する。
【００５２】
これに加えて又はこれに代えて、Ｃ１とＣ２復号器からのエラーフラグをモニタすることが可能である。これは、セクタの抽出されるべきリスト及び、復号器によりエラーが検出されたセクタ内の位置のリストを可能とする。Ｃ１とＣ２復号器は、エラーを検出するだけでなく、エラーの訂正も行い、これは、エラーが訂正されることが必要ならば、どの復号器がエラー検出したか及びどの復号器がエラーを訂正したかに関する情報と共に抽出もできる。全てのこれらの手段により、マイクロプロセッサ２２は、ＣＤから、出所を決定するのに使用されるエラー情報を抽出できる。このエラー情報は、特徴的なエラー情報と比較される。
【００５３】
比較のための特徴的なエラー情報を得るために、前述した同じエラー情報を抽出するために、同じ一群からのディスクが、図６に示される装置を使用して読み出される。これに関して、そのグループ内の全てのディスクは、マスタ又はスタンパーの指紋により起こされるエラーを有すると仮定すると、読み出される一群のグループは、全てが同じマスタ又はスタンパーから製造される。グループ内の全てのディスクからのデータは各ディスクに共通なエラー情報を識別するために比較される。エラー情報の特徴的なリストが形成され、そして、マイクロプロセッサに２２により蓄積され、又は、表示される。そして、テストに際しディスクから抽出されたエラー情報は、特徴的なリストと比較され、そして、その比較により、特徴的なリストを作るのに使用されたディスクと同じグループから由来するディスクであるかどうかを決定することが可能である。
【００５４】
テスト下のディスクは、特徴的なリストの全てのエラーを有するということを単純にチェックすることが可能であろう。しかし、テストディスクからのデータと特徴的なエラーデータが、相関がとられて類似の程度が計算されることが好ましい。これは、データの２つの組みを相互に参照し、共通の特徴を識別し、そして、偶然により純粋に生じる共通の統計的確率を使用することにより計算されることによりなされる。異なる製造者からのディスクである確率の計算が行われ得る。ある確率が、特定のしきい値とされ、これより上では、仮定が受け入れられる。
【００５５】
使用される統計的方法を、要求により選択できる。現在は、ベイズの統計法が好ましい。
【００５６】
エラーの特徴の特徴的なリストがディスクのグループから得られ且つ蓄積されたときには、その蓄積されたリストに対して幾つかのディスクを順次テストすることが可能である。テスト下のディスクのエラーが予想される部分を識別するために、蓄積されたリストを使用することにより、そして、テストディスクの全体を読むよりもその部分のみを読むことにより、処理の速度を上げることができる。
【００５７】
既知の位置の特定のＱ−サブチャネルブロックのＣＲＣを意図的に壊すことにより、既知の失われたＱ−サブチャネルブロックを伴なうガラスマスタを発生することが可能である。この方法により、意図的に失われたＱ−サブチャネルブロックの位置は、ガラスマスタが作られそして、その上にデータが記録される前に知られる。ガラスマスタがこの処理を使用して製造される場合には、既知の失われたＱ−サブチャネルブロックを識別するためにディスク上を検索することによりディスクが合法的であるかをチェックすることが可能である。失われていると考えられるどのブロックも実際に存在する場合には、ＣＤが偽造であるとの決定がなされ、この情報は、必要ならば、ディスクの再生を停止するのに使用できる。逆に、失われていると予想されたブロックが失われている場合には、ディスクは本物であると決定され、そして、普通に使用できる。
【００５８】
図７は、例えば、失われたＱ−サブチャネルブロックの既知の特徴的なリストのような、既知の識別するエラー情報を伴うマスタを記録する装置を示す。図７に示す装置は、従来のマスタを製造する装置と非常に似ている。装置は、システムを制御するための、メモリを伴う処理手段３４を有する。特にプロセッサ３４はディスク２０上に書き込むレーザ３２を制御する。データ蓄積媒体３７は、ディスク２０上に符号化されるデータを有し、マイクロプロセッサ３４に接続され、そして、それによりデータは信号符号化回路３３に送られ、ここで、データはレーザ強度変調信号で符号化される。この信号は、必要な変調を伴うレーザ光を発生するレーザ３２へ送られる。光はレーザ焦点光学系３１を通り、ディスク２０の正しい部分にレーザ光が焦点を結ぶ。
【００５９】
処理手段３４は、書き込みヘッドサーボ３５により、焦点光学系３１の位置を制御する。処理手段３４は、ディスク２０が取り付けられている主軸の回転速度を制御するスピンドルコントローラ３６により、ディスク２０の回転速度も制御する。
【００６０】
識別するエラー情報をマスタとそれから生成される全ての世代のコピーに付加するために、データ蓄積媒体３７内に、必要とされる識別するエラーデータを供給することのみが必要である。識別するエラーデータは、識別するエラーデータ内の識別される特徴を導入するために変更されるべきレーザ強度変調信号上へ符号化されたユーザデータのストリームを発生する。ディスクがガラスマスタの場合には、それから物理的に作られる全てのスタンパーとディスクは同じ識別するエラーデータを有する。そのようなＣＤがその出所を識別するために本発明の方法を受ける場合には、製造中にマスタへ供給された識別するエラーデータと強い相関があるエラー情報を生じるであろう。
【００６１】
マスタに付加された識別するエラーデータが上述のようにＱ−サブチャネルブロックを意図的に壊すものである場合には、合法的なディスクの組みは、その組みに対する共通の失われたＱ−サブチャネルブロックのリストを発生するのに使用できる。そして、各テストディスクが、合法的なディスクが失われたＱ−サブチャネルブロックを有する部分で、Ｑ−サブチャネルブロックを有するかをテストしさえすれば良い。失われていると考えられるブロックの識別は、ＣＤが偽造であることを示す。
【００６２】
本発明の変形や変更は本発明の範囲内でなされ得ることは理解されよう。
【図面の簡単な説明】
【００６３】
【図１】らせんトラックを有するデータを担うディスクの概略を示す図である。
【図２】ＣＤから読まれたデータのフレームフォーマットを示す図である。
【図３】ＣＤから読まれたデータのサブコードブロックのフォーマットを示す図である。
【図４】Ｑサブチャネルの一般のデータフォーマットを示す図である。
【図５】データエラーの位置のリストの構成を示す図である。
【図６】ＣＤの出所を決定する本発明の実施例の装置のブロック図である。
【図７】ＣＤへ識別するエラー情報を統合する装置を示す図である。
【符号の説明】
【００６４】
４  らせん
６  CD
２０  ディスク
２１  CDリーダ
２２  マイクロプロセッサ
２３  データメモリ
２４  ディスプレイ
３１  レーザ焦点光学系
３２  書き込みレーザ
３３  信号符号化回路
３４  マイクロコンピュータ
３５  書き込みヘッドサーボ
３６  スピンドルコントローラ
３７  データ蓄積媒体
３８  ディスプレイ
【図１】
2007035273.tif 000003
【図２】
2007035273.tif 000004
【図３】
2007035273.tif 000005
【図４】
2007035273.tif 000006
【図５】
2007035273.tif 000007
【図６】
2007035273.tif 000008
【図７】
2007035273.tif 000009